(57)【要約】【解決手段】無線通信システム中の一つ、或いは、それ以上の基地局のシステム情報ビット流を伝送する方法が提供される。この方法は、システム情報ビット流から、端子に必要なシステム情報を運び、少なくとも一つの基地局により、ネットワークにアクセスするネットワークエントリー関連ビット流と非ネットワークエントリー関連ビット流を識別するステップと、第一組変調とコード体系（MCS）に従って、ネットワークエントリー関連ビット流を変調し、第二組MCSに従って、非ネットワークエントリー関連ビット流を変調するステップと、異なる周波数で、システム情報ビット流を伝送するステップと、からなり、ネットワークエントリー関連ビット流は、第一所定周期に従って、周期的に伝送される。【選択図】図５
2011510546.tif 000002
【特許請求の範囲】
【請求項１】
複数のシステム情報ビット流を伝送する方法であって、各システム情報ビット流は、無線通信システム中の一つ、或いは、それ以上の基地局の対応するシステム情報を運び、
システム情報ビット流から、複数のネットワークエントリー関連ビット流と複数の非ネットワークエントリー関連ビット流を識別し、前記ネットワークエントリー関連ビット流は、端子に必要なシステム情報を運び、少なくとも一つの前記基地局により、ネットワークにアクセスし、前記ネットワークエントリー関連ビット流は一群に分類され、前記非ネットワークエントリー関連ビット流は他の群に分類されるステップと、
一つ、或いは、それ以上のMCSからなる第一組変調とコード体系（MCS）に従って、前記ネットワークエントリー関連ビット流を変調し、一つ、或いは、それ以上のMCSからなる第二組MCSに従って、前記非ネットワークエントリー関連ビット流を変調するステップと、
異なる周波数で、前記システム情報ビット流を伝送するステップと、
からなり、
前記ネットワークエントリー関連ビット流は、第一所定周期に従って、周期的に伝送されることを特徴とする方法。
【請求項２】
前記第一組MCSは、少なくとも一つのMCSからなり、前記第二組MCS中のMCSと異なることを特徴とする請求項１に記載の方法。
【請求項３】
前記第一組MCSの少なくとも一つのMCSは、前記第二組MCSの少なくとも一つのMCSにより定義される第二ビットレートよりも低い第一ビットレートを定義することを特徴とする請求項１に記載の方法。
【請求項４】
更に、
第二所定周期に従って、前記非ネットワークエントリー関連ビット流を周期的に伝送するステップを含み、前記第二所定周期は、前記第一所定周期より長いことを特徴とする請求項１に記載の方法。
【請求項５】
更に、
非周期的方式で、前記非ネットワーク関連ビット流を伝送するステップを含むことを特徴とする請求項１に記載の方法。
【請求項６】
更に、
指示メッセージ中の各非ネットワークエントリー関連ビット流により、対応する伝送時間インスタンスを決定するステップと、
指示周期に従って、前記指示メッセージを周期的に伝送するステップと、
前記の対応する伝送時間インスタンスで、前記非ネットワークエントリー関連ビット流を伝送するステップと、
を含むことを特徴とする請求項１に記載の方法。
【請求項７】
前記第一組MCSと前記第二組MCSは、セル計画状態、端子位置、或いは、端子フィードバックに従って、順応して変化することを特徴とする請求項１に記載の方法。
【請求項８】
更に、
各非ネットワークエントリー関連ビット流にとって、好ましい放送周期を得るステップと、
前記の好ましい放送周期に従って、前記非ネットワークエントリー関連ビット流から、少なくとも一つの低速ビット流を識別するステップと、
前記低速ビット流を伝送して、前記端子から受信した対応する情報要求メッセージに応答するステップと、
を含み、
前記低速ビット流の好ましい放送周期は、一スーパーフレームを超過することを特徴とする請求項１に記載の方法。
【請求項９】
更に、
前記好ましい放送周期に従って、前記非ネットワークエントリー関連ビット流から、少なくとも一つの高速ビット流と中速ビット流を識別するステップと、
前記対応する好ましい放送周期に基づいて、前記高速ビット流、前記中速ビット流、及び、前記低速ビット流を伝送するステップと、
からなり、
前記高速ビット流の好ましい放送周期は、一フレームユニットに基づき、前記中速ビット流の好ましい放送周期は一スーパーフレームユニットに基づき、前記高速ビット流の好ましい放送周期は、前記中速ビット流より短く、前記中速ビット流の好ましい放送周期は、前記低速ビット流の好ましい放送周期より短いことを特徴とする請求項８に記載の方法。
【請求項１０】
更に、
前記の異なるMCSに従って、前記高速ビット流、前記中速ビット流、及び、前記低速ビット流を変調するステップを含むことを特徴とする請求項９に記載の方法。
【請求項１１】
更に、
前記ネットワーク中の一つ以上の基地局により、同時インスタンス、同じ無線周波数下で、一ネットワークエントリー関連ビット流を伝送するステップを含むことを特徴とする請求項１に記載の方法。
【請求項１２】
複数のシステム情報ビット流を伝送する方法であって、各システム情報ビット流は、無線通信システム中の一つ、或いは、それ以上の基地局の対応するシステム情報を運び、本方法は、
各システム情報ビット流に対し、好ましい放送周期を得るステップと、
前記好ましい放送周期に従って、前記システム情報ビット流から、少なくとも一つの高速ビット流と少なくとも一つの低速ビット流を識別するステップと、
少なくとも一つのMCSからなる第一組変調とコード体系（MCS）に従って、前記高速ビット流を変調し、少なくとも一つのMCSからなる第二組MCSに従って、前記低速ビット流を変調するステップと、
からなり、
前記高速ビット流の好ましい放送周期は一フレームユニットに基づき、前記低速ビット流の好ましい放送周期はマルチスーパーフレームユニットに基づくことを特徴とする方法。
【請求項１３】
前記第一組MCSの少なくとも一つのMCSは、前記第二組MCS中の少なくとも一つのMCSと異なることを特徴とする請求項１２に記載の方法。
【請求項１４】
前記第一組MCSの少なくとも一つのMCSは、前記第二組MCSの少なくとも一つのMCSにより定義される第二ビットレートよりも低い第一ビットレートを定義することを特徴とする請求項１２に記載の方法。
【請求項１５】
更に、
前記低速ビット流をユニキャストして、前記無線通信システム中の端子から受信する対応する情報要求メッセージに応答するステップを含むことを特徴とする請求項１２に記載の方法。
【請求項１６】
更に、
前記好ましい放送周期に従って、前記システム情報ビット流から、少なくとも一つの中速ビット流を識別するステップと、
第三組MCSに従って、前記中速ビット流を変調するステップと、
からなり、
前記中速ビット流の好ましい放送周期は、一スーパーフレームユニットに基づき、前記第三組MCSの少なくとも一つのMCSは、前記第一組、或いは、前記第二組MCSの少なくとも一つのMCSと異なることを特徴とする請求項１２に記載の方法。
【請求項１７】
無線通信システム中で、ネットワークを提供することができる通信装置であって、
端子に必要なシステム情報を運び、前記ネットワークにアクセスする複数のネットワークエントリー関連ビット流と複数の非ネットワークエントリー関連ビット流とを保存するメモリと、
前記メモリに結合され、第一組変調とコード体系（MCS）に従って、前記ネットワークエントリー関連ビット流を変調し、第二組MCSに従って、前記非ネットワークエントリー関連ビット流を変調し、第一所定周期に従って、前記ネットワークエントリー関連ビット流を伝送するプロセッサと、
からなり、
前記第一組MCSと第二組MCSは、それぞれ、少なくとも一つのMCSを有することを特徴とする通信装置。
【請求項１８】
前記第一組MCSの少なくとも一つのMCSは、前記第二組MCSの少なくとも一つのMCSにより定義される第二ビットレートよりも低い第一ビットレートを定義することを特徴とする請求項１７に記載の通信装置。
【請求項１９】
前記プロセッサは、更に、第二所定周期に従って、前記非ネットワークエントリー関連ビット流を周期的に伝送し、前記第二所定周期は、前記第一所定周期より長いことを特徴とする請求項１７に記載の通信装置。
【請求項２０】
前記プロセッサは、更に、指示メッセージ中の各非ネットワークエントリー関連ビット流に対応する伝送時間インスタンスを得て、手配し、指示周期に従って、前記指示メッセージを周期的に伝送し、前記対応する伝送時間インスタンスで、前記非ネットワークエントリー関連ビット流を伝送することを特徴とする請求項１７に記載の通信装置。
【請求項２１】
前記プロセッサは、更に、各非ネットワークエントリー関連ビット流にとって、好ましい放送周期を得て、前記非ネットワークエントリー関連ビット流から、一スーパーフレームを超える対応する好ましい放送周期を有する少なくとも一つの低速ビット流を識別し、前記低速ビット流を伝送して、前記端子から受信する対応する情報要求メッセージに応答することを特徴とする請求項１７に記載の通信装置。
【請求項２２】
前記プロセッサは、更に、前記好ましい放送周期に従って、前記非ネットワークエントリー関連ビット流から、少なくとも一つの高速ビット流と少なくとも一つの中速ビット流を識別し、前記対応する好ましい放送周期に従って、前記高速ビット流と前記中速ビット流を周期的に伝送し、前記高速ビット流の好ましい放送周期は、前記中速ビット流よりも短いことを特徴とする請求項２１に記載の通信装置。
【請求項２３】
通信装置であって、
無線送受信機モジュールと、
前記無線送受信機モジュールにより、複数のネットワークエントリー関連ビット流と複数の非ネットワークエントリー関連ビット流を受信し、第一組MCSに従って、受信した前記ネットワークエントリー関連ビット流を復調し、第二組MCSに従って、受信した前記非ネットワークエントリー関連ビット流を復調するプロセッサと、
からなることを特徴とする通信装置。
【請求項２４】
前記プロセッサは、更に、情報要求メッセージを基地局に伝送して、非ネットワークエントリー関連ビット流のユニキャストを要求することを特徴とする請求項２１に記載の通信装置。
【請求項２５】
前記プロセッサは、更に、前記非ネットワークエントリー関連ビット流に対応する伝送時間インスタンスを示す情報を含む少なくとも一つの指示メッセージを受信し、前記指示メッセージ中で示される前記対応する伝送時間インスタンスに従って、前記非ネットワークエントリー関連ビット流の待ち時間を得て、前記待ち時間が所定スレショルドより長いと決定される時、前記情報要求メッセージを伝送することを特徴とする請求項２４に記載の通信装置。
【請求項２６】
前記プロセッサは、更に、異なる時間インスタンスで、前記同一システム情報を運ぶマルチネットワークエントリー関連、及び、非ネットワークエントリー関連ビット流を受信し、結合技術を用いて、前記受信したシステム情報ビット流を結合し、結合したビット流を得て、前記結合ビット流をデコードし、前記運ばれるシステム情報を得ることを特徴とする請求項２３に記載の通信装置。
【請求項２７】
前記プロセッサが、低電力消耗のために、アイドルモードに進入する時、前記プロセッサは、更に、少なくとも一つの非ネットワークエントリー関連ビット流の必要性を決定し、必要に応じて、前記対応する伝送時間インスタンスで、選択的に目覚めて、前記ネットワークエントリー関連、及び、非ネットワークエントリー関連ビット流を受信することを特徴とする請求項２３に記載の通信装置。
【請求項２８】
前記プロセッサは、更に、複数の基地局から同一のネットワークエントリー関連ビット流を受信し、前記受信したネットワークエントリー関連ビット流を結合して、結合されたビット流を得て、前記結合したビット流をデコードして、前記運ばれるシステム情報を得ることを特徴とする請求項２３に記載の通信装置。
【発明の詳細な説明】
【技術分野】
【０００１】
この出願は、２００８年１月１７日付け出願の ”TREE-LIKE SYSTEM INFORMATION WITH DYNAMIC UPDATING FOR 802.16-LIKE SYSTEMS” と題された米国仮出願番号６１／０２１，６４５と、２００８年４月１８日付け出願の ”NEW HIERARCHY OF SYSTEM INFORMATION DELIVERY IN MOBILE CELLULAR NETWORKS” と題された米国仮出願番号６１／０４５，９８５の利益を主張する。その全体の内容は参照により本明細書に組み込まれる。
【０００２】
本発明は、複数のシステム情報ビット流（system information bit streams）を伝送する方法に関するものであって、特に、減少した信号オーバーヘッド（signal overhead）、ネットワークアクセス時間、及び、改善されたスペクトル効率を有する複数のシステム情報ビット流の伝送方法に関するものである。
【背景技術】
【０００３】
無線通信中、基地局（例えば、セルラータワー等）は、サービスを地理的領域中の端子に提供する。基地局は、通常、情報を放送して、端子が必要なシステム情報、及び、サービス構成を識別するのを補助し、端子が、必要なネットワークエントリー情報を獲得して、基地局が提供するサービスを利用するかどうか決定する。
【発明の概要】
【発明が解決しようとする課題】
【０００４】
しかし、WiMAX (Worldwide Interoperability for Microwave Access)通信システム、或いは、IEEE802.16類似システム中、非構造化システム情報は、通常、巨大なオーバーヘッドを生成し、且つ、不規則な方法で放送され、非能率なバンド幅利用、及び、端子の予測不能、且つ、冗長なネットワークエントリー時間を生じる。よって、無線通信システムに用いる新しい階層型システム（hierarchical system）情報伝送方法が必要である。
【課題を解決するための手段】
【０００５】
システム情報ビット流を伝送する通信装置と方法で、各システム情報ビット流は、無線通信システム中の一つ、或いは、それ以上の基地局の対応するシステム情報を運ぶ。このような方法の具体例は、システム情報ビット流から、複数のネットワークエントリー関連ビット流と複数の非ネットワークエントリー関連ビット流を識別するステップを含み、ネットワークエントリー関連ビット流は、端子に必要なシステム情報を運び、少なくとも一つの基地局により、ネットワークにアクセスし、ネットワークエントリー関連ビット流は一群に分類され、非ネットワークエントリー関連ビット流は他の群に分類される。更に、第一組変調とコード体系（coding scheme）（MCS）に従って、ネットワークエントリー関連ビット流を変調し、第二組MCSに従って、非ネットワークエントリー関連ビット流を変調するステップを含み、各第一組MCSと第二組MCSは、それぞれ、一つ、或いは、それ以上のMCSからなる。また、異なる周波数で、システム情報ビット流を伝送するステップを含み、ネットワークエントリー関連ビット流は、第一所定周期に従って、周期的に伝送される。
【０００６】
このような方法のもう一つの実施例は、各システム情報ビット流にとって、好ましい放送周期を得るステップと、好ましい放送周期に従って、システム情報ビット流から、少なくとも一つの高速ビット流と少なくとも一つの低速ビット流を識別するステップと、からなり、高速ビット流の好ましい放送周期は、一フレームユニットに基づき、低速ビット流の好ましい放送周期は、マルチスーパーフレームに基づく。更に、第一組変調とコード体系（MCS）に従って、高速ビット流を変調し、第二組MCSに従って、低速ビット流を変調するステップを含み、第一組MCSと第二組MCSは、それぞれ、少なくとも一つのMCSからなる。
【０００７】
別の実施例による無線通信システム中で放送されるシステム情報を提供することができる通信装置は、端子に必要なシステム情報を運び、ネットワークにアクセスする複数のネットワークエントリー関連ビット流と複数の非ネットワークエントリー関連ビット流とを保存するメモリと、メモリに結合され、第一組変調とコード体系（MCS）に従って、ネットワークエントリー関連ビット流を変調し、第二組MCSに従って、非ネットワークエントリー関連ビット流を変調し、第一所定周期に従って、ネットワークエントリー関連ビット流を伝送するプロセッサと、からなり、前記第一組MCSと第二組MCSは、それぞれ、少なくとも一つのMCSを有する。
【０００８】
別の実施例による通信装置は、無線送受信機モジュールと、無線送受信機モジュールにより、複数のネットワークエントリー関連ビット流と複数の非ネットワークエントリー関連ビット流を受信し、第一組MCSに従って、受信したネットワークエントリー関連ビット流を復調し、第二組MCSに従って、受信した非ネットワークエントリー関連ビット流を復調するプロセッサと、からなる。
【０００９】
以下で、多くの図式に基づき、本発明の好ましい実施例による詳細を説明する。
【図面の簡単な説明】
【００１０】
【図１】本発明の実施例による無線通信システムのネットワークトポロジーを示す図である。
【図２】本発明の実施例による基地局を示す図である。
【図３】本発明の第一実施例による複数のシステム情報ビット流を伝送する方法のフローチャート図である。
【図４】本発明の実施例によるシステム情報ビット流の伝送スケジュールを示す図である。
【図５】本発明の第二実施例による複数のシステム情報ビット流を伝送する方法のフローチャート図である。
【図６】本発明の第三実施例による複数のシステム情報ビット流を伝送する方法のフローチャート図である。
【図７】本発明の実施例による携帯装置を示す図である。
【図８】本発明の実施例によるシステム情報分類から得られる携帯装置の快速ネットワークアクセス工程のフローチャートである。
【発明を実施するための形態】
【００１１】
以下で、本発明の好ましい実施方式を説明する。相関する描写は本発明を詳細に説明するためのもので、本発明に限定するものではない。本発明の保護範囲は、特許請求の範囲で指定した内容を基準とする。
【００１２】
図１は、本発明の一実施例による無線通信システムのネットワークトポロジーを示す図である。図１で示されるように、無線通信システム１００は、一つ、或いは、それ以上のセクター１０５、１０６中に、一つ、或いは、それ以上の基地局１０１、１０２を有し、無線通信信号を受信、伝送、重複し、且つ、サービスを互いに提供する、及び/又は、一つ、或いは、それ以上の携帯装置１０３、１０４にサービスを提供する。本発明の具体例によると、携帯装置は、携帯電話、コンピュータ、ノート型パソコン、PDA、CPEなどで、よって、本発明は、これに限定されない。基地局１０１と１０２は、インフラネット（infrastructure network）（例えば、インターネット）に接続され、これにより、インターネットに接続性を提供する。本発明の具体例によると、基地局１０１と１０２は、ピアツーピア（peer-to-peer communication service ）通信サービス（例えば、携帯装置１０３と１０４間の直接通信）を促進する。本発明の具体例によると、無線通信システム１００は、WIMAX通信システムとして配置されるか、或いは、IEEE802.16基準に基づいて採用される技術である。
【００１３】
図２は、本発明の具体例による基地局を示す図である。基地局１０１は、ベースバンドモジュール１１１と無線送受信機モジュール１１２からなる。無線送受信機モジュール１１２は、アンテナと、無線ラジオ周波数信号を受信し、受信信号をベースバンド信号に転換して、ベースバンドモジュール１１１により処理する受信鎖、及び、ベースバンドモジュール１１１からベースバンド信号を受信して、受信信号を無線周波数信号に転換して伝送する伝送鎖と、からなる。無線送受信機モジュール１１２は、複数のハードウェア装置からなり、無線周波数転換を実行する。ベースバンドモジュール１１１は、更に、ベースバンド信号を複数のデジタル信号に転換し、デジタル信号を処理し、逆の場合も同じである。ベースバンドモジュール１１１も、複数のハードウェア装置を有し、ベースバンド信号処理を実行する。ベースバンド信号処理は、アナログデジタル転換（ADC）/デジタルアナログ転換（DAC）、ゲイン調整、変調/復調、符号化/復号化等を含む。ベースバンドモジュール１１１は、更に、プロセッサ１１４とメモリ１１５を有する。携帯装置１０３と１０４が基地局１０１と１０２にアクセスして、提供されたサービスを利用したり、無線通信のスペクトルを利用したりするため、基地局１０１と１０２はあるシステム情報を放送する。メモリ１１５は、基地局１０１のシステム情報を保存し、更に、複数のソフトウェア/ファームウェアコード、或いは、指令を保存して、無線通信サービスを提供、及び、維持する。プロセッサ１１４は、メモリ１１５中に保存されたコードや指令を実行し、メモリ１１５、ベースバンドモジュール１１１、及び、無線送受信機モジュール１１２の操作を制御する。
【００１４】
本発明の実施例によると、システム情報は、異なる放送周期に基づいて、分類、異なる調整、及び、伝送され、信号オーバーヘッドを和らげ、スペクトル効率と帯域幅効率を改善する。図３は、本発明の第一具体例による複数のシステム情報ビット流を伝送する方法のフローチャートである。注意すべきことは、以下のフローチャートで示される本ステップは、ソフトウェア/ファームウェアコード、或いは、指令として実行され、且つ、メモリ中に保存されて、基地局のプロセッサにより実行されることである。まず、プロセッサ（例えば、１１４）は、システム情報ビット流から、ネットワークエントリー関連ビット流と非ネットワークエントリー関連ビット流を識別する（ステップ３０１）。ネットワークエントリー関連ビット流は、端子（携帯装置１０３、或いは、１０４）に必要なシステム情報を運ぶシステム情報ビット流で、ワイヤレスネットワーク中の一基地局によりネットワークにアクセスし、非ネットワークエントリー関連ビット流は、残りのシステム情報ビット流である。例えば、ネットワークアクセスに必要なシステム情報は、各スーパーフレームで放送される不可欠な情報を運び、セルタイプ、スーパーフレーム計数、変化計数、非ネットワークエントリー相関情報の分配情報、ULロード指示器等を示す情報を含む。次に、プロセッサは、異なる変調とコード体系（MCS）に従って、ネットワークエントリー関連ビット流と非ネットワークエントリー関連ビット流を変調する（ステップ３０２）。本発明の具体例によると、ネットワークエントリー関連ビット流は、第一組MCSに従って変調され、非ネットワークエントリー関連ビット流は、第二組MCSに従って変調され、各第一組MCSと第二組MCSは、それぞれ、一つ、或いは、それ以上のMCSを有し、第一組MCS中の少なくとも一つのMCSは、第二組MCS中の少なくとも一つのMCSと異なる。更に、本発明の具体例によると、第一組のMCSの少なくとも一つのMCSは、第二組MCSの少なくとも一つにより定義される第二ビットレートより低い第一ビットレートを定義する。例えば、ネットワークエントリー関連ビット流は、ネットワークアクセスに必要なシステム情報を運ぶので、第一組MCSの第一MCS（R＝１/２のQPSK）のビットレートは、第二組MCSの第二MCS(R=３/４のQPSK)のビットレートより低く、よって、更に強固なコード体系を提供する。本発明の具体例によると、第一組MCSと第二組MCSは、セル計画（cell-planning）状態、端子位置、或いは、端子フィードバックに従って、順応して変化する。最後に、プロセッサは、異なる放送周期に従って、ネットワークエントリー関連ビット流と非ネットワークエントリー関連ビット流を伝送する（ステップ３０３）。例えば、ネットワークエントリー関連ビット流は、ネットワークアクセスに必要なシステム情報を運ぶので、ネットワークエントリー関連ビット流は、第一所定周期に従って、周期的に伝送され、非ネットワークエントリー関連ビット流は、第二所定周期に従って、周期的に伝送され、第一所定周期は、第二所定周期より短いので、携帯装置に必要なシステム情報を待つネットワークアクセス時間を減少させる。本発明の別の具体例によると、プロセッサは、指示メッセージ中の各非ネットワークエントリー関連ビット流により、��応する伝送時間インスタンスを決定する。よって、非ネットワークエントリー関連ビット流は、非周期的方式でも伝送することができる。次に、基地局は、更に、対応する伝送時間インスタンスで、非ネットワークエントリー関連ビット流を伝送する。指示メッセージは、指示周期に従って、基地局（例えば、１０１、或いは、１０２）により周期的に伝送され、携帯装置に、いつ、対応する非ネットワークエントリー関連ビット流を受信するか通知する。
【００１５】
図４は、本発明の具体例によるシステム情報ビット流の伝送スケジュールを示す図である。図４で示されるように、指示メッセージ４０１と４０２、及び、ネットワークエントリー関連システム情報ビット流４１１、４１２、４０３、は、周期的に放送される。指示メッセージは、残りのシステム情報ビット流の対応する伝送時間インスタンスを示す情報を含む。理解できることは、指示メッセージ４０１は、どのフレーム中で、非ネットワークエントリー関連ビット流４２１、４２２、４２３、４２４等が放送されるのかを指すことである。携帯装置が一旦、指示メッセージを受信すると、“放送する”システム情報の伝送時間インスタンスを見つけ、いつ、このシステム情報を受信するか決定する。本発明の別の実施例によると、移動局（MS）は、指示メッセージにより、スキャンされた基地局のシステム情報を受信する時間も決定する。
【００１６】
本発明の第二具体例によると、システム情報は、放送周期（周波数）に従って、分類される。図５は、本発明の第二具体例による複数のシステム情報ビット流を伝送する方法のフローチャートである。基地局は、前もって、各システム情報ビット流にとって、好ましい放送期間を得て、好ましい放送周期は、システム情報ビット流が、このましく放送される、或いは、伝送される周期（或いは、周波数）を示し、提供される無線通信サービスの品質を維持する。例えば、好ましい放送周期は、操作者により前もって決定されるか、対応する基準により予め定義される。好ましい放送周期を得た後、プロセッサ（例えば、１１４）は、好ましい放送周期に従って、システム情報ビット流から、少なくとも一つの高速ビット流、中速ビット流、及び、低速ビット流を識別する（ステップ５０１）。本発明の具体例によると、例えば、高速ビット流の好ましい放送周期は、一フレームユニット（例えば、１フレーム、２フレーム等）に基づき、中速ビット流の好ましい放送周期は、スーパーフレーム（例えば、１スーパーフレーム）に基づき、スーパーフレームは、マルチフレーム（例えば、４フレームからなる１スーパーフレーム）として定義され、低速ビット流の好ましい放送周期は、マルチスーパーフレームユニット（例えば、２スーパーフレーム、３スーパーフレーム等）に基づく。次に、高速、中速、及び、低速ビット流は、それぞれ、異なるMCSに従って変調される（ステップ５０２）。例えば、高速ビット流は、好ましくは、中速と低速のビット流よりも高い頻度で伝送され、これは、高速ビット流が、大部分の携帯装置に一般的に必要とされる重要な情報を運ぶことができることを意味する。よって、高速ビット流を変調するビットレートは、中速と低速のビット流よりも低く設計され、更に強固なコード体系を提供する。次に、プロセッサは、異なる放送周期に従って、高速、中速、低速のビット流を伝送する（ステップ５０３）。例として、プロセッサは、対応する好ましい放送周期に従って、高速、中速、低速のビット流を伝送する。他の例として、プロセッサは、放送ではなく、低速ビット流をユニキャストし、更に、伝送帯域幅を保持する。一方、プロセッサは、積極的に、低速ビット流をユニキャストするか、或いは、端子（携帯装置）から受信した対応する情報要求メッセージに応答する。情報要求メッセージは、携帯装置により積極的に伝送され、長時間（例えば、マルチスーパーフレーム）待たなくても、積極的に、システム情報を要求する。例えば、携帯装置は、ネットワークにアクセスを試みる時、通常、ハンドオーバー関連パラメータを知る必要がない、或いは、HARQ（hybrid automatic repeat request）が移動局にサポートされない時、ハイブリッド自動反復要求HARQ関連パラメータを知る必要がないので、対応する情報要求メッセージの受信に応答し、ハンドオーバー関連パラメータ、及び、HARQ関連パラメータをユニキャストする。これにより、媒体アクセス制御（medium access control 、MAC)層のオーバーヘッドと帯域幅損耗が減少する。
【００１７】
本発明の第三具体例によると、システム情報は、ネットワークエントリー関連プロパティと放送周波数両方に従って分類される。図６は、本発明の第三具体例による複数のシステム情報ビット流を伝送する方法のフローチャートである。まず、プロセッサ（例えば、１１４）は、システム情報ビット流から、ネットワークエントリー関連ビット流を識別する（ステップ６０１）。次に、プロセッサは、好ましい放送周期に従って、少なくとも一つの高速、中速、及び、低速ビット流を識別する（ステップ６０２）。次に、プロセッサは、異なる変調とコード体系（MCS）に従って、ネットワークエントリー関連ビット流と、高速、中速、及び、低速ビット流を変調する（ステップ６０３）。例えば、ネットワークエントリー関連ビット流を変調するビットレートは、非ネットワークエントリー関連ビット流よりも低く設計され、高速ビット流を変調するビットレートは、中速、及び、低速ビット流よりも低く設計される、次に、プロセッサは、異なる放送周期に従って、ネットワークエントリー関連ビット流と、高速、中速、及び、低速ビット流を伝送する（ステップ６０４）。前述のように、更に短い所定周期に従って、ネットワークエントリー関連ビット流が周期的に伝送されて、携帯装置に必要なシステム情報を待つ時のネットワークアクセス時間を減少させる。更に、プロセッサは、対応する好ましい放送周期に従って、高速、中速、及び、低速ビット流を伝送する。各非ネットワークエントリー関連ビット流に対応する伝送時間インスタンスも、指示メッセージ中で示される。他の例で、プロセッサは、低速ビット流を放送するのではなく、積極的にユニキャストするか、或いは、端子（携帯装置）から受信する対応する情報要求メッセージに応答し、更に、伝送帯域幅を保持する。
【００１８】
本発明のもう一つの実施例によると、一システム情報の内容が静態である時、例えば、長時間変化しない場合、対応するシステム情報ビット流は、マクロ多様性技術を用いて、一つ以上の基地局（例えば、１０１と１０２）により伝送される。例えば、公有地モバイルネットワーク識別（public land mobile network identity 、PLMN ID)、ダウンリンク/アップリンク比率等は、一つ以上の基地局上で、実質上、変化せず、共通で、且つ、同じサブキャリアで運ばれ、一つ以上の基地局により、同時インスタンス、同じ無線周波数下で、伝送される。移動局（例えば、１０３、或いは、１０４）は、それぞれ、マルチ基地局から、対応するシステム情報ビット流を受信し、受信されたシステム情報ビット流を結合し、結合されたビット流をデコードして、運ばれるシステム情報を得る。
【００１９】
図７は、本発明の具体例による携帯装置を示す図である。携帯装置１０３は、ベースバンドモジュール１３１、無線送受信機モジュール１３２、及び、選択的に、サブキャリア識別カード１３３を有する。無線送受信機モジュール１３２は、ワイヤレス無線周波数信号を受信し、受信した信号を、ベースバンド信号に転換して、ベースバンドモジュール１３１により処理するか、或いは、ベースバンドモジュール１３１からベースバンド信号を受信して、受信信号をワイヤレス無線周波数信号に転換して、ピア装置に伝送する。無線送受信機モジュール１３２は、複数のハードウェア装置を有し、無線周波数転換を実行する。例えば、無線送受信機モジュール１３２は、ミキサーを有し、ベースバンド信号と無線通信システムの無線周波数で振動するキャリアとを乗じる。ベースバンドモジュール１３１は、更に、ベースバンド信号を複数のデジタル信号に転換し、デジタル信号を処理し、逆もまた同様である。ベースバンドモジュール１３１も、複数のハードウェア装置を有し、ベースバンド信号を処理する。ベースバンド信号の処理は、アナログデジタル転換（ADC）/デジタルアナログ転換（DAC）、ゲイン調整、変調/復調、符号化/復調、等を含む。ベースバンドモジュール１３１は、更に、メモリ装置１３５とプロセッサ１３４を含む。メモリ１３５は、複数のソフトウェア/ファームウェアコード、或いは、指令を保存し、携帯装置の操作を維持する。注意すべきことは、メモリ装置１３５は、ベースバンドモジュール１３１の外側に設置されているが、本発明はこれに限定されないことである。プロセッサ１３４は、メモリ１３５中に保存されたコード、或いは、指令を実行し、ベースバンドモジュール１３１、無線送受信機モジュール１３２、及び、接続されているサブキャリア識別カード１３３の操作をそれぞれ制御する。プロセッサ１３４は、接続されているサブキャリア識別カード１３３からデータを読み取り、接続されているサブキャリア識別カード１３３にデータを書き込む。注意すべきことは、携帯装置１０３は、サブキャリア識別カード１３３を代替する別の識別モジュールを有してもよいことで、本発明は、これに限定されない。
【００２０】
本発明の具体例によると、システム情報は分類されるので、携帯装置のプロセッサ（例えば、１３４）は、対応する時間インスタンスで、周期的に、ネットワークエントリー関連ビット流を伝送し、無線送受信機モジュール（例えば、１３２）により、非ネットワークエントリー関連ビット流に対応する伝送時間インスタンスを示す情報を含む少なくとも一つの指示メッセージを受信する。指示メッセージをデコードすることにより対応する伝送時間インスタンスを得た後、プロセッサは、更に、無線送受信機モジュールにより、対応する伝送時間インスタンスで、非ネットワークエントリー関連ビット流を受信する。次に、プロセッサは、更に、第一組MCSに従って、受信したネットワークエントリー関連ビット流を復調し、第二組MCSに従って、受信した非ネットワークエントリー関連ビット流を復調する。例えば、基地局（例えば、１０１、或いは、１０２）は、スーパーフレームヘッダーで、第一放送チャネル（Primary Broadcast Channel 、PBCH) 突発、 第二放送チャネル（Secondary Broadcast Channel 、SBCH) 突発、及び、指示メッセージの少なくとも一つを含むダウンリンクメッセージを放送し、PBCHと SBCHはどちらも、ネットワークエントリー相関システム情報を含み、SBCH突発で運ばれるシステム情報は、更に、上述の具体例に従って分類される。更に、PBCH突発は、予め定義されたMCSに従って変調し、SBCHは、PBCH突発で示される所定のMCSに従って、フレキシブルに変調される。携帯装置は、ダウンリンクメッセージを受信、及び、デコードして、PBCH突発、SBCH突発、及び、指示メッセージを得る。次に、携帯装置は、更に、指示メッセージに従って、対応する時間インスタンスで、他のPBCH突発、SBCH突発、及び/又は、非ネットワークエントリー関連ビット流（或いは、高速、中速、及び、低速ビット流）を受信、及び、復調/デコードする。
【００２１】
本発明のもう一つの実施例によると、一システム情報の内容が静態、例えば、長時間でも、実質上、変化せず、BSID、PLMN  ID等である時、同じ静態システム情報を運ぶ対応するシステム情報ビット流も、携帯装置により、異なる時間インスタンスで受信される。異なる時間インスタンスで、同じシステム情報を運ぶマルチシステム情報ビット流を受信した後、移動局は、結合技術により、受信されたシステム情報ビット流を結合して、結合ビット流を得て、その後、結合ビット流をデコードし、運ばれるシステム情報を得る。一具体例中、結合技術はソフト結合である。この方法で、前回、正しくデコードされなかったシステム情報は、この時、現在受信されたビット流の助けで、正しくデコードされる。他の具体例中、結合技術は反復結合で、情報ビット流は、突発中、繰り返し伝送される。
【００２２】
図８は、本発明の具体例によるシステム情報分類から得られる携帯装置の快速ネットワークアクセス工程のフローチャートである。携帯装置がオンになり、前文と同期化した後、携帯装置は、一つ、或いは、それ以上の基地局により放送されるシステム情報ビット流（例えば、ネットワークエントリー関連ビット流）、及び/又は、指示メッセージ（例えば、図４の４０１を受信する（ステップ８０１）。次に、プロセッサ（例えば、１３４）は、ネットワーク登録工程の実行を開始して、基地局により提供されるネットワークにアクセスする（ステップ８０２）。次に、プロセッサは、ネットワーク登録工程により要求される全システム情報が受信されたか決定する（ステップ８０３）。得られなかった残りのシステム情報がある場合、プロセッサは、更に、指示メッセージで示される対応する伝送時間インスタンスに従って、対応する待ち時間（T）を計算して、全システム情報を受信する（ステップ８０４）。次に、プロセッサは、更に、待ち時間（T）が所定スレショルド（Tth）を超過するか決定する（ステップ８０５）。待ち時間（T）が、所定時間（Tth）を超過すると決定される時、プロセッサは、情報要求メッセージを伝送して、基地局から関与するシステム情報のユニキャストを要求し（ステップ８０６）、対応するシステム情報を受信する（ステップ８０７）。一方、待ち時間（T）が所定スレショルド（Tth）を超過しないと決定される時、プロセッサは、対応する時間インスタンスで、基地局により放送される対応するシステム情報を直接受信する（ステップ８０７）。注意すべきことは、本発明の別の具体例によると、携帯装置により受信される指示メッセージがない時、対応する待ち時間を計算する必要がなく、ステップ８０４と８０５は省略でき、ステップ８０６は、選択的に実行される。ネットワーク登録工程が完成後、プロセッサは、基地局とアイドルモードパラメータについて協議し、アイドルモードに進入して、電源を節約する（ステップ８０８）。本発明の具体例によると、基地局が、一時間間隔で、同じシステム情報に要求される多くの情報要求メッセージを受信する時、基地局は、次に伝送されるシステム情報に、更に強固なMCSを選択する。本発明の他の具体例によると、携帯装置が、低電力消耗のために、アイドルモードに進入する時、プロセッサ（例えば、１３４）は、更に、一つ、或いは、それ以上のネットワークエントリー関連と非ネットワークエントリー関連ビット流の必要性を決定する。プロセッサは、必要時、対応する伝送時間インスタンスで、選択的に目覚めて、ネットワークエントリー関連、及び、非ネットワークエントリー関連ビット流を受信する。よって、携帯装置のバッテリー電力は更に節約できる。本発明の具体例によると、提案されたスキームは、指示メッセージがあってもなくても、従来の８０２．１６ｅDCD/UCDと比較すると、短いアクセス待ち時間を提供することができる。
【００２３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って、本発明の保護範囲は、特許請求の範囲で指定した内容を基準とする。
【図１】
2011510546.tif 000003
【図２】
2011510546.tif 000004
【図３】
2011510546.tif 000005
【図４】
2011510546.tif 000006
【図５】
2011510546.tif 000007
【図６】
2011510546.tif 000008
【図７】
2011510546.tif 000009
【図８】
2011510546.tif 000010
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
複数のシステム情報ビット流を伝送する方法であって、各システム情報ビット流は、無線通信システム中の一つ、或いは、それ以上の基地局の対応するシステム情報を運び、
システム情報ビット流から、複数のネットワークエントリー関連ビット流と複数の非ネットワークエントリー関連ビット流を識別し、前記ネットワークエントリー関連ビット流は、端子に必要なシステム情報を運び、少なくとも一つの前記基地局により、ネットワークにアクセスし、前記ネットワークエントリー関連ビット流は一群に分類され、前記非ネットワークエントリー関連ビット流は他の群に分類されるステップと、
一つ、或いは、それ以上のMCSからなる第一組変調とコード体系（MCS）に従って、前記ネットワークエントリー関連ビット流を変調し、一つ、或いは、それ以上のMCSからなる第二組MCSに従って、前記非ネットワークエントリー関連ビット流を変調するステップと、
異なる周波数で、前記システム情報ビット流を伝送するステップと、
からなり、
前記ネットワークエントリー関連ビット流は、第一所定周期に従って、周期的に伝送されることを特徴とする方法。
【請求項２】
前記第一組MCSは、少なくとも一つのMCSからなり、前記第二組MCS中のMCSと異なることを特徴とする請求項１に記載の方法。
【請求項３】
更に、
第二所定周期に従って、前記非ネットワークエントリー関連ビット流を周期的に伝送するステップを含み、前記第二所定周期は、前記第一所定周期より長いことを特徴とする請求項１に記載の方法。
【請求項４】
更に、
非周期的方式で、前記非ネットワーク関連ビット流を伝送するステップを含むことを特徴とする請求項１に記載の方法。
【請求項５】
更に、
指示メッセージ中の各非ネットワークエントリー関連ビット流により、対応する伝送時間インスタンスを決定するステップと、
指示周期に従って、前記指示メッセージを周期的に伝送するステップと、
前記の対応する伝送時間インスタンスで、前記非ネットワークエントリー関連ビット流を伝送するステップと、
を含むことを特徴とする請求項１に記載の方法。
【請求項６】
前記第一組MCSと前記第二組MCSは、セル計画状態、端子位置、或いは、端子フィードバックに従って、順応して変化することを特徴とする請求項１に記載の方法。
【請求項７】
更に、
各非ネットワークエントリー関連ビット流にとって、好ましい放送周期を得るステップと、
前記の好ましい放送周期に従って、前記非ネットワークエントリー関連ビット流から、少なくとも一つの低速ビット流を識別するステップと、
前記低速ビット流を伝送して、前記端子から受信した対応する情報要求メッセージに応答するステップと、
を含み、
前記低速ビット流の好ましい放送周期は、一スーパーフレームを超過することを特徴とする請求項１に記載の方法。
【請求項８】
更に、
前記好ましい放送周期に従って、前記非ネットワークエントリー関連ビット流から、少なくとも一つの高速ビット流と中速ビット流を識別するステップと、
前記対応する好ましい放送周期に基づいて、前記高速ビット流、前記中速ビット流、及び、前記低速ビット流を伝送するステップと、
からなり、
前記高速ビット流の好ましい放送周期は、一フレームユニットに基づき、前記中速ビット流の好ましい放送周期は一スーパーフレームユニットに基づき、前記高速ビット流の好ましい放送周期は、前記中速ビット流より短く、前記中速ビット流の好ましい放送周期は、前記低速ビット流の好ましい放送周期より短いことを特徴とする請求項７に記載の方法。
【請求項９】
複数のシステム情報ビット流を伝送する方法であって、各システム情報ビット流は、無線通信システム中の一つ、或いは、それ以上の基地局の対応するシステム情報を運び、本方法は、
各システム情報ビット流に対し、好ましい放送周期を得るステップと、
前記好ましい放送周期に従って、前記システム情報ビット流から、少なくとも一つの高速ビット流と少なくとも一つの低速ビット流を識別するステップと、
少なくとも一つのMCSからなる第一組変調とコード体系（MCS）に従って、前記高速ビット流を変調し、少なくとも一つのMCSからなる第二組MCSに従って、前記低速ビット流を変調するステップと、
からなり、
前記高速ビット流の好ましい放送周期は一フレームユニットに基づき、前記低速ビット流の好ましい放送周期はマルチスーパーフレームユニットに基づくことを特徴とする方法。
【請求項１０】
無線通信システム中で、ネットワークを提供することができる通信装置であって、
端子に必要なシステム情報を運び、前記ネットワークにアクセスする複数のネットワークエントリー関連ビット流と複数の非ネットワークエントリー関連ビット流とを保存するメモリと、
前記メモリに結合され、第一組変調とコード体系（MCS）に従って、前記ネットワークエントリー関連ビット流を変調し、第二組MCSに従って、前記非ネットワークエントリー関連ビット流を変調し、第一所定周期に従って、前記ネットワークエントリー関連ビット流を伝送するプロセッサと、
からなり、
前記第一組MCSと第二組MCSは、それぞれ、少なくとも一つのMCSを有することを特徴とする通信装置。
【請求項１１】
前記プロセッサは、更に、第二所定周期に従って、前記非ネットワークエントリー関連ビット流を周期的に伝送し、前記第二所定周期は、前記第一所定周期より長いことを特徴とする請求項１０に記載の通信装置。
【請求項１２】
前記プロセッサは、更に、指示メッセージ中の各非ネットワークエントリー関連ビット流に対応する伝送時間インスタンスを得て、手配し、指示周期に従って、前記指示メッセージを周期的に伝送し、前記対応する伝送時間インスタンスで、前記非ネットワークエントリー関連ビット流を伝送することを特徴とする請求項１０に記載の通信装置。
【請求項１３】
前記プロセッサは、更に、各非ネットワークエントリー関連ビット流にとって、好ましい放送周期を得て、前記非ネットワークエントリー関連ビット流から、一スーパーフレームを超える対応する好ましい放送周期を有する少なくとも一つの低速ビット流を識別し、前記低速ビット流を伝送して、前記端子から受信する対応する情報要求メッセージに応答することを特徴とする請求項１０に記載の通信装置。
【請求項１４】
前記プロセッサは、更に、前記好ましい放送周期に従って、前記非ネットワークエントリー関連ビット流から、少なくとも一つの高速ビット流と少なくとも一つの中速ビット流を識別し、前記対応する好ましい放送周期に従って、前記高速ビット流と前記中速ビット流を周期的に伝送し、前記高速ビット流の好ましい放送周期は、前記中速ビット流よりも短いことを特徴とする請求項１３に記載の通信装置。
【請求項１５】
通信装置であって、
無線送受信機モジュールと、
前記無線送受信機モジュールにより、複数のネットワークエントリー関連ビット流と複数の非ネットワークエントリー関連ビット流を受信し、第一組MCSに従って、受信した前記ネットワークエントリー関連ビット流を復調し、第二組MCSに従って、受信した前記非ネットワークエントリー関連ビット流を復調するプロセッサと、
からなることを特徴とする通信装置。
【請求項１６】
前記プロセッサは、更に、前記非ネットワークエントリー関連ビット流に対応する伝送時間インスタンスを示す情報を含む少なくとも一つの指示メッセージを受信し、前記指示メッセージ中で示される前記対応する伝送時間インスタンスに従って、前記非ネットワークエントリー関連ビット流の待ち時間を得て、前記待ち時間が所定スレショルドより長いと決定される時、前記情報要求メッセージを伝送することを特徴とする請求項１５に記載の通信装置。
【請求項１７】
前記プロセッサが、低電力消耗のために、アイドルモードに進入する時、前記プロセッサは、更に、少なくとも一つの非ネットワークエントリー関連ビット流の必要性を決定し、必要に応じて、前記対応する伝送時間インスタンスで、選択的に目覚めて、前記ネットワークエントリー関連、及び、非ネットワークエントリー関連ビット流を受信することを特徴とする請求項１５に記載の通信装置。
【請求項１８】
前記プロセッサは、更に、複数の基地局から同一のネットワークエントリー関連ビット流を受信し、前記受信したネットワークエントリー関連ビット流を結合して、結合されたビット流を得て、前記結合したビット流をデコードして、前記運ばれるシステム情報を得ることを特徴とする請求項１５に記載の通信装置。
【手続補正２】
【補正対象書類名】明細書
【補正対象項目名】００１５
【補正方法】変更
【補正の内容】
【００１５】
図４は、本発明の具体例によるシステム情報ビット流の伝送スケジュールを示す図である。図４で示されるように、指示メッセージ４０１と４０２、及び、ネットワークエントリー関連システム情報ビット流４１１、４１２、４１３、は、周期的に放送される。指示メッセージは、残りのシステム情報ビット流の対応する伝送時間インスタンスを示す情報を含む。理解できることは、指示メッセージ４０１は、どのフレーム中で、非ネットワークエントリー関連ビット流４２１、４２２、４２３、４２４等が放送されるのかを指すことである。携帯装置が一旦、指示メッセージを受信すると、“放送する”システム情報の伝送時間インスタンスを見つけ、いつ、このシステム情報を受信するか決定する。本発明の別の実施例によると、移動局（MS）は、指示メッセージにより、スキャンされた基地局のシステム情報を受信する時間も決定する。
【国際調査報告】
2011510546.tif 000011
2011510546.tif 000012
2011510546.tif 000013
2011510546.tif 000014